(57)【要約】【課題】防虫剤を使用することなく、収納する衣類を視認できると共にカビや虫食いの発生を有効に防止する畳紙を提供する。【課題手段】衣類を包装し保存するための畳紙であって、収納する衣類を視認可能にすると共に外部からの光を透過させるためにその表紙面において複数の窓が設けられ、前記畳紙の内面側又は衣類を直接包むシート紙に光触媒粒子が塗布される。【選択図】図２
0003133450.tif 000002
【実用新案登録請求の範囲】
【請求項１】
衣類を包装し保存するための畳紙であって、
収納する衣類を視認可能にすると共に外部からの光を透過させるために少なくともその表紙面において複数の窓が設けられ、前記畳紙の内面側に光触媒粒子が塗布されたことを特徴とする畳紙。
【請求項２】
前記畳紙の表紙面には、カード類を収容するためのポケットが取り付けられていることを特徴とする請求項１に記載の畳紙。
【請求項３】
衣類を包装し保存するための畳紙であって、
衣類を包むシート紙と、前記シート紙によって包まれる衣類を包装する畳紙本体と、から構成され、
前記畳紙本体には、収納される衣類を視認可能とすると共に外部からの光を透過させるために少なくともその表紙面において複数の窓が設けられ、
前記シート紙には、光触媒粒子が塗布されたことを特徴とする畳紙。
【請求項４】
前記シート紙は、通気性を有する和紙又は不織布であることを特徴とする請求項２に記載の畳紙。
【請求項５】
前記畳紙の表紙面側には、カード類を収容するためのポケットが取り付けられていることを特徴とする請求項３又は４に記載の畳紙。
【考案の詳細な説明】
【技術分野】
【０００１】
本考案は、主に和服や帯等の衣類を包装して保存するための畳紙（たとうがみ）に関し、特に、収納する衣類にカビや虫食いの発生を抑制する効果を有する畳紙に関する。
【背景技術】
【０００２】
従来から、比較的厚手の紙に渋や漆を塗り、折り目を付けて、和服や帯若しくは結髪の道具等を包装する畳紙が知られている。
【０００３】
畳紙は、例えば、図２及び３図に示すように形成され折り目をつけた厚手のシート（通気性を有する不織布等を含む）により形成され、折り畳んだ和服や帯等の衣類を包み込んで和箪笥や行李内に収納して保存するための包装手段である。
【０００４】
図５は、衣類を内包した状態の従来の畳紙１０の例を示す。ここで、図５（ａ）は、畳紙１０の表面紙３１における中央部に透明な矩形窓３２を設けることにより収納する衣類を視認できるようにしている。また、図５（ｂ）は、衣類を内包した畳紙１０が、和箪笥の引出し内や行李内に重ねられて収納されていても、畳紙を一枚一枚取り外すことなく外部から収納する衣類を視認できるように、矩形窓３２を畳紙本体（表面紙）３１の側辺部に跨って形成するようにした畳紙も知られている（例えば、特許文献１を参照）。
【特許文献１】登録実用新案第３０２３９０６号公報
【考案の開示】
【考案が解決しようとする課題】
【０００５】
しかしながら、畳紙は、主に高価な着物や帯類等の衣類を長期間に亘って保存するものであることから、収納する衣類にカビや虫食いが発生することを防止する必要がある。
【０００６】
このため、従来の畳紙においては、収納する衣類と共に樟脳等の防虫剤を入れるようにしていたが、このような防虫剤の多くは強い匂いを衣類に染み込ませることになり、衣類を畳紙から取り出して着装した場合に樟脳等の匂いが消えるまで比較的に長い時間を必要としていた。また、このような防虫剤は、衣類における虫食い防止には確かに効果があるものの、衣類が畳紙内に長期間に渡って保存された場合に、収納する衣類におけるカビ発生の防止効果には期待できなかった。このため、本考案は、必ずしも防虫剤を使用することなく、収納する衣類を視認できると共にカビや虫食いの発生を有効に防止する畳紙を提供することを目的とする。
【課題を解決するための手段】
【０００７】
このため、本考案は、その第１の形態として、衣類を包装し保存するための畳紙であって、収納する衣類を視認可能にすると共に外部からの光を透過させるために少なくともその表紙面において複数の窓が設けられ、前記畳紙の内面側に光触媒粒子が塗布されたことを特徴とする畳紙を提供するものである。
【０００８】
ここで、前記畳紙の表紙面には、カード類を収容するためのポケットが取り付けられている。当該ポケットには、収納する衣類の写真や仕様書等を収納する。また、収納する衣類の素材、仕立て、販売者、クリーニング履歴等の属性データを記載したＩＣタグを収納するようにしても良い。
【０００９】
また、本考案は、その第２の形態として、衣類を包装し保存するための畳紙であって、衣類を包むシート紙と、前記シート紙によって包まれる衣類を包装する畳紙本体と、から構成され、前記畳紙本体には、収納される衣類を視認可能とすると共に外部からの光を透過させるために少なくともその表紙面において複数の窓が設けられ、前記シート紙には、光触媒粒子が塗布されたことを特徴とする畳紙を提供するものである。
【００１０】
ここで、前記シート紙は、通気性を有する和紙又は不織布である。また、前記畳紙の表紙面側には、カード類を収容するためのポケットを取り付けるようにしている。
【考案の効果】
【００１１】
本考案に係る畳紙においては、収納する衣類を視認可能にすると共に外部からの光を透過させるためにその表紙面において複数の窓が設けられ、前記畳紙の内側面に又は衣類を包むシート紙に光触媒粒子が塗布されているので、本畳紙に時々光が照射するだけで、防虫剤を入れることなく、カビや虫食いの発生を有効に防止することを可能としたのである。
【考案を実施するための最良の形態】
【００１２】
以下、本考案に係る畳紙の実施の形態について、図面に基づいて説明する。
図１は、本考案に係る畳紙１０に衣類が内包された状態を示す外観図を示す。図１（ａ）及び図１（ｂ）に示すように、本畳紙１０は、従来の畳紙のように、渋、漆等を塗布することにより耐久性を与えた素材を畳紙本体として用いるとよい。そして、本畳紙１０は、収納する衣類を視認可能にすると共に外部からの光を透過させるために、本畳紙１０の少なくとも表紙面１１に複数の窓１２が設けられる。尚、このような窓は、裏面紙側（裏面基片部）１７にも設けるようにしても良い。そして、後述するように（図２及び３において説明する）、本畳紙１０の内側面（図２及び３に示す符号１５、１６、１７及び１８の部分）には光触媒粒子が塗布されているのである。この光触媒は、後述するように衣類に含まれる水分の分解作用により、虫食いはもとより、湿気を吸った衣類における細菌やカビの発生を防止するのである。
【００１３】
ここで、本畳紙１０の表紙面１１には、カード類を収容するためのポケット１３が取り付けられている。このポケット１３には、本畳紙１０が収納する衣類の写真や仕様書等を収納する。また、収納する衣類の素材、仕立て、販売者、クリーニング履歴等の属性データを記載したＩＣタグを収納するようにしても良い。
【００１４】
図１（ｂ）に示す例では、本畳紙１０の表紙面１１の中央部には、比較的大きな面積の矩形窓３２が設けられ、内包される衣類の視認と共に、外部からのより多くの光の透過を可能にしている。尚、この矩形窓３２は、図５（ｂ）に示すように、畳紙本体（表紙面）１１の側辺部に跨って形成するようにしても良い。
【００１５】
図２は、図１（ａ）に示した畳紙１０が展開された状態を示す。
そして、図３は、図１（ｂ）に示した畳紙１０が展開された状態を示す。
図２及び図３に示すように、本考案に係る畳紙１０は、中央の裏面基片部１７を中心に、短手方向の両側部に折り目線２１ａ、２１ｄを介してそれぞれ側片部１５、１６が接続され、裏面基片部１７の長手方向の上方端部に折り目線２１ｂを介して端片部１８が接続され、折り目２１ｃを介して表紙面１１が接続される。
【００１６】
さらに、中央の裏面基片部１７を中心に、左右の側片部１５、１６と端片部１８の間、そして、表紙面１１と側片部１５、１６と端片部１８の間の隅角箇所には、各隅各を覆い耐久性を向上させると共に収納する衣類の脱落を防止するための片部１９を介在させるようにしている。
【００１７】
そして、前記構成の畳紙１０においても、畳紙本体を展開したままの状態で、先ず、中央の裏面基片部１７の上に、畳んだ和服等の衣類を載置させ、次いで、左右の片部１５、１６について、これを各折り目線２１ａ、２１ｄから各隅角覆い片部２０を含めて夫々に基片部１７側へ折り込み、夫々の片部が重なる所にて閉じ紐１４の相互を結縛させることにより、内部に収納される衣類の包装を確実にしている。
【００１８】
図４は、本考案に係る畳紙の第２の形態として、図２及び図３において説明した衣類を包装し保存するための畳紙と共に用いられる衣類を包むシート紙２５の例を示すものである。当該シート紙２５は、中央の底面基片部２７を中心に、短手方向の両側部に折り目線２６ｃ、２６ｄを介してそれぞれ側片部２９ａ、２９ｂが接続され、底面基片部２７の長手方向の両側部に折り目線２６ａ、２６ｂを介して細端片部３０と光透過性を有する表面部２８が接続されて、衣類を包み込むようにしている。
【００１９】
このように、本畳紙１０の内側面又はシート紙２５には光触媒粒子が塗布されているのである。この光触媒は、衣類に含まれる水分の分解作用により、虫食いはもとより、湿気を吸った衣類における細菌やカビの発生を防止するのである。
【００２０】
ここで用いられる光触媒粒子としては、酸化チタン（ＴｉＯ２）が知られている。酸化チタンは、光（主に近紫外線）が照射されると周辺の水分を分解し、これを水素と酸素に分解し、主に水素の還元作用によりカビの発生と虫食いを確実に防止する。このような光触媒粒子を構成する酸化チタンの粉末は、無色透明な物質であり、吸収する光の波長は通常３８０ｎｍ以下の紫外領域であるが、これに少量の不純物を加える（ドーピング）ことにより、それ以外の波長の光であってもカビや細菌の発生を抑制することができる等、種々の特性の光触媒作用を生じさせることができるである。光触媒には、微量の光の照射だけで、光触媒作用を生じさせるものも知られており、本考案においては、このような殺菌、防臭、カビや虫食い等の光触媒作用を生じさせる光触媒粒子が、畳紙１０の内側面１５、１６、１７、１８（図２及び図３）、又は衣類を包むシート紙２５（図４）に、塗布されているのである。
【００２１】
ところで、シート紙２５の素材は、通気性を有する和紙又は不織布が好ましいが、他の素材（例えば、ガーゼ等の織布）であっても良い。
【００２２】
このように、本考案に係る畳紙１０においては、収納する衣類を視認可能にすると共に外部からの光を透過させるためにその表紙面１１において複数の窓１２が設けられ、本畳紙１０の内側面に又は衣類を包むシート紙２５に光触媒粒子が塗布されているので、本畳紙１０に時々光が照射するだけで、防虫剤を入れることなく、カビや虫食いの発生を有効に防止することを可能としたのである。
【産業上の利用可能性】
【００２３】
本考案は、着物や帯類等の衣類を長期間に亘って保存する畳紙に関し、特に、収納する衣類にカビや虫食いが発生することを防止する効果を発揮するように考案された畳紙に関するものであり、産業上の利用可能性を有する。
【図面の簡単な説明】
【００２４】
【図１】本考案に係る畳紙１０に衣類が内包された状態を示す外観図を示す。図１（ａ）はその第１の例を、図１（ｂ）はその第２の例をそれぞれ示す。
【図２】図１（ａ）に示した畳紙１０が展開された状態を示す。
【図３】図１（ｂ）に示した畳紙１０が展開された状態を示す。
【図４】本畳紙と共に用いられる衣類を包むシート紙の例を示す
【図５】衣類を内包した状態の従来の畳紙の例を示す。
【符号の説明】
【００２５】
１０：畳紙
１１：畳紙の表紙面
１２：窓
１３：ポケット（カード類収納用）
２５：シート紙
３２：矩形窓
【図１】
0003133450.tif 000003
【図２】
0003133450.tif 000004
【図３】
0003133450.tif 000005
【図４】
0003133450.tif 000006
【図５】
0003133450.tif 000007